(57)【特許請求の範囲】
【請求項１】
高周波電流を発生する高周波発生手段と電気的に接続され、前記高周波電流を放電し生体組織に処置を行うための印加電極を先端に有し、該印加電極の基端側を第１の絶縁部材で被覆されている電極器と、
該電極器を所定の方向に移動自在に収納し、前記印加電極からの前記高周波電流の帰還側となる挿入部と、
前記印加電極近傍に灌流液を送液する送液手段と、
前記第１の絶縁部材の先端から露出する前記印加電極の基端部分を該第１の絶縁部材から該印加電極に沿って、該印加電極の外表面を任意の範囲において伸縮自在に被覆可能であって、処置のために該印加電極を生体組織に接触させる以前に該印加電極の露出範囲を任意の範囲に設定すべく、前記被覆する範囲を自在に設定可能とする蛇腹形状の伸縮部材から形成された第２の絶縁部材と、
を具備することを特徴とする高周波処置装置。
【請求項２】
前記印加電極は、前記電極器の先端部分においてループ状に形成しており、前記第１の絶縁部材の先端から露出する根元部分の外径よりも前記ループ状に形成された中央部分の外径が小さい径に成形されていることを特徴とする請求項１に記載の高周波処置装置。
【請求項３】
前記印加電極は、被検体の所望の処置領域と接触する接触部と、前記第１の絶縁部材と連なる非接触部とを有し、
該非接触部の少なくとも一部は前記第２の絶縁部材により前記所定の範囲で被覆されていることを特徴とする請求項１に記載の高周波処置装置。
【請求項４】
前記印加電極は、基端部から先端方向に延出する前記第１の絶縁部材が設けられた第１の部分と、前記先端部を含み前記第１の部分と異なる方向に延出する第２の部分とを有することを特徴とする請求項１に記載の高周波処置装置。
【請求項５】
さらに、前記第１の部分と前記第２の部分とを結合する湾曲部を有することを特徴とする請求項４に記載の高周波処置装置。
【請求項６】
前記湾曲部は、前記第２の絶縁部材で被覆されていることを特徴とする請求項５に記載の高周波処置装置。
【請求項７】
前記印加電極は、前記被検体に所定の処置を施すための機能部と非機能部とを有し、前記非機能部の少なくとも一部は、前記被検体に対して絶縁されていることを特徴とする請求項３に記載の高周波処置装置。
【発明の詳細な説明】
【技術分野】
【０００１】
本発明は、灌流液中において使用され、生体組織の切除、蒸散、放電凝固等の電気手術を行う高周波処置装置に関する。
【背景技術】
【０００２】
従来、灌流液中において使用され、生体組織の切除、蒸散、放電凝固等の電気手術を行う高周波処置装置としてレゼクトスコープ装置を用いたものがある。  
一般にレゼクトスコープ装置は、経尿道的切除術、経頚管的切除術に用いられ、体腔内に挿入される細長な中空のシース内に観察用の内視鏡である光学視管及び生体組織焼灼用の電極ユニットを主に備えたものである。
【０００３】
レゼクトスコープ装置により体腔内の観察が行われる際には、シース内に経由される液体が体腔内に送液され、内視鏡の視野が確保される。  
従来、この体腔内に送液される液体には、非導電性であるＤ−ソルビトール溶液などが用いられていた。高周波電流は、電極から人体組織を経由して体外に配置されている回収電極で回収される。
【０００４】
ここで、従来のレゼクトスコープ装置では、高周波電流が神経を刺激することにより、筋反射が起こることがあり、神経のブロックが必要とされていた。また、Ｄ−ソルビトール溶液は、長時間体腔内に送液することができず、手術時間に制約を与えられていた。
【０００５】
これらの問題に対処するため、例えば、特許文献１には、灌流液として人体に長時間体腔内に送液できる生理食塩水等を用い、また、回収電極の代わりにシースで高周波電流を回収し、神経への刺激を低減させる技術が示されている。
【０００６】
図１４は生理的食塩水の灌流液を使用する従来のレゼクトスコープ装置の構成図である。  
図１４に示すように、レゼクトスコープ装置９０１は、レゼクトスコープ９０２と、生理的食塩水のパック９０３と、送液チューブ９０４と、高周波電源９０５と、電極ケーブル９０６と、フットスイッチ９０７とを有して構成されている。
【０００７】
手術台９０８には、患者９０９が配置されている。  
レゼクトスコープ９０２の先端部９１１は、患者９０９の尿道等に挿入される。図１５に示すように、先端部９１１には、先端部が略半円状に形成された電極９１２を有する電極器９１４が設けられている。この電極器９１４の電極９１２は、先端部の略半円状に形成された部分のみ露出するように基端側に向けてチューブ体９１５によって被覆されている。
【０００８】
図１４に戻って、レゼクトスコープ９０２には、パック９０３から送液チューブ９０４を経由して灌流液である生理的食塩水が供給されている。また、レゼクトスコープ９０２には、電極ケーブル９０６を介して高周波電源９０５と接続されている。
【０００９】
高周波電源９０５は、フットスイッチ９０７を踏むことにより、高周波電流を発生して電極ケーブル９０６を経由し、レゼクトスコープ９０２の先端部９１１の先端に配置された電極９１２に供給する。
【００１０】
図１６は、このようなレゼクトスコープ９０２の先端部９１１の電極９１２に高周波電流が供給された場合の電極近傍の様子を示す説明図である。  
図１６に示すように、未通電の状態から、先端部の電極９１２に高周波電流の通電が開始されると、電極９１２の電気的抵抗により熱的エネルギを受けた電極９１２の近傍の生理的食塩水が温められ、気泡９１３の発生が始まる。
【００１１】
さらに、電極９１２に高周波電流が通電され続けると、気泡９１３は、その発生量が増え、電極９１２の全周を覆うようになる。このとき、電極９１２と生理的食塩水間の電極抵抗が急激に上昇し、高い電圧により、放電が発生する。この放電によって発生した熱により、組織の切除、蒸散、放電凝固等が可能になる。
【特許文献１】特開２０００−２０１９４６号公報
【発明の開示】
【発明が解決しようとする課題】
【００１２】
しかしながら、このような生理的食塩水を用いた従来の技術において、生理的食塩水を温め、気泡を発生させるには、大きな電力が必要となる。従って、生理的食塩水中における組織の切除、蒸散、放電凝固等を行うには、大電力を出力可能な高価な高周波電源が必要になるという問題があった。
【００１３】
また、患者の体内に送液される生理的食塩水が多い場合、電極の全周を覆うために必要な気泡の発生に時間かかり、組織の切除、蒸散、放電凝固等を行うための施術時間が長くなるという問題があった。つまり、施術時間が長くなると、患者への負担が増えてしまう問題がある。
【００１４】
そこで、本発明は、上記問題に鑑みてなされたものであり、より小さい電力により灌流液（たとえば、生理食塩水）中での組織の切除、蒸散及び放電凝固を行うことが可能、且つ、施術時間を短くすることができる高周波処置装置を提供することを目的としている。
【課題を解決するための手段】
【００１５】
上記目的を達成すべく本発明の一態様の高周波処置装置は、高周波電流を発生する高周波発生手段と電気的に接続され、前記高周波電流を放電し生体組織に処置を行うための印加電極を先端に有し、該印加電極の基端側を第１の絶縁部材で被覆されている電極器と、該電極器を所定の方向に移動自在に収納し、前記印加電極からの前記高周波電流の帰還側となる挿入部と、前記印加電極近傍に灌流液を送液する送液手段と、前記第１の絶縁部材の先端から露出する前記印加電極の基端部分を該第１の絶縁部材から該印加電極に沿って、該印加電極の外表面を任意の範囲において伸縮自在に被覆可能であって、処置のために該印加電極を生体組織に接触させる以前に該印加電極の露出範囲を任意の範囲に設定すべく、前記被覆する範囲を自在に設定可能とする蛇腹形状の伸縮部材から形成された第２の絶縁部材と、を具備する。
【発明の効果】
【００１６】
本発明によれば、より小さい電力により灌流液中での組織の切除、蒸散及び放電凝固を行うことが可能、且つ、施術時間を短くすることができる高周波処置装置を実現することができる。
【発明を実施するための最良の形態】
【００１７】
以下、本発明の実施の形態について、図１〜図７の図面を参照して説明する。  
図１〜図７は、本発明の第１の実施の形態に係り、図１は高周波処置装置の全体構成図、図２は高周波電源を示すブロック図、図３はレゼクトスコープの先端部分を示す断面図、図４は電極器の構成図、図５は電極器の先端部分を示す拡大図、図６は高周波電源装置による制御の流れを示すフローチャート図、図７はレゼクトスコープの先端部の作用を説明するための拡大図である。
【００１８】
図１に示すように高周波処置装置であるレゼクトスコープ１は細管状のシース２と、このシース２の後端に設けられた操作部３と、この操作部３よりシース２内に挿入され、観察を行う光学視管４と、高周波発生手段である高周波電源装置２１と、この高周波電源装置２１からの高周波電流が通電され、生体組織に処置を行う電極器５と、から主に構成されている。
【００１９】
シース２は、尿道、膣などより被検体の内部に挿入される。このシース２は、先端部６ａを有し、導電性の挿入部６と、この挿入部６の後端に設けられた本体部７とを含む。この本体部７には、挿入部６内を通して体腔内に灌流液である本実施の形態では生理的食塩水を送水するための送水口８がコック９と共に設けられている。送水口８は、容器１０内に入れられた生理的食塩水１１を供給する送液チューブ１２が着脱自在に接続される構成となっている。
【００２０】
一方、操作部３はシース２の本体部７後端に着脱自在となるよう構成された操作部本体１４と、この操作部本体１４の後端に突設されたガイド軸１５と、このガイド軸１５に摺動自在に保持されたスライダ１６とを有している。
【００２１】
ガイド軸１５の後端には、ストッパ１７が設けられている。このストッパ１７と操作部本体１４との間において、スライダ１６がガイド軸１５に沿って自在に往復摺動する。また、ガイド軸１５は、内部が中空構造となっている。光学視管４は、ガイド軸１５内を挿通してシース２内に挿入されるとともにストッパ１７へと着脱自在に接続固定されている。
【００２２】
スライダ１６には、電極器５を保持する保持部１８が設けられていると共に、電極器５に高周波電流を通電するための通電部１９が設けられている。この通電部１９は、スライダ１６に設けられたコネクタ２０と電気的に導通しており、コネクタ２０には高周波電源装置２１の出力コード２２先端に設けられた出力プラグ２３が着脱自在に接続固定されるようになっている。
【００２３】
この高周波電源装置２１には、電極器５へ高周波電流を供給操作、及び高周波出力を制御するための切替えペダルを有するフットスイッチ４０が接続されている。さらに、高周波電源装置２１の前面から一端が接続された信号ケーブル４２が延出しており、この信号ケーブル４２の他端は、容器１０と送液チューブ１２を連結しているピンチバルブ４１に接続されている。すなわち、ピンチバルブ４１は、高周波電源装置２１から信号ケーブル４２により電源供給を受けるようになっている。  
これら容器１０、送液チューブ１２、及びピンチバルブ４１によって、送液手段が構成されている。  
また、ストッパ１７には、使用者が手の親指を掛けるリング形状の指掛け部２４が設けられている。一方、スライダ１６には、使用者が手の人差し指から薬指又は小指までを掛けるレバー形伏の指掛け部２５が設けられており、これら指掛け部２４と指掛け部２５とがばね関節２６によって矢印Ｈ方向に付勢されつつ連結している。
【００２４】
そして、これらの指掛け部２４、２５が操作され、スライダ１６がガイド軸１５に沿って操作部本体１４方向（前方向）へとスライドされると、電極器５の先端電極部２７がシース２の先端から突出するようになっている。また、逆にスライダ１６がストッパ方向（後方向）へと操作されると、電極器５の先端電極部２７は、シース２の先端部６ａに収納されるようになっている。
【００２５】
光学視管４は、シース２内に挿入される挿入部２８と、この挿入部２８の後端に設けられた接眼部２９とを含む。この接眼部２９の近傍には、光源装置３０に接続されるライトガイドケーブル３１のコネクタ３２が着脱自在に接続固定されるライトガイドコネクタ３３が設けられている。
【００２６】
光源装置３０より出力された照明光は、ライトガイドケーブル３１を介してライトガイドコネクタ３３へと伝送され、更に挿入部２８に内装されたライトガイドバンドルによって挿入部先端３５へと伝送され出射される。
【００２７】
図２に示すように、高周波発生手段である高周波電源装置２１は、制御回路５０と、電源回路５１と、高周波発生回路５２と、波形回路５３と、出力トランス５４と、電流センサ５５と、電圧センサ５６と、Ａ／Ｄコンバータ５７と、ピンチバルブ電源５８と、を有して構成されている。
【００２８】
電源回路５１は、直流電流を出力する。高周波発生回路５２は、電源回路５１からの直流電流を高周波電流に変換する。波形回路５３は、制御回路５０の制御に基づいて、高周波発生回路５２に対して高周波電流の波形を指示する。
【００２９】
出力トランス５４は、高周波発生回路５２からの高周波電流をレゼクトスコープ１に接続される出力コード２２内の配線に出力する。電流センサ５５は、出力トランス５４より出力される出力電流を検出する。
【００３０】
電圧センサ５６は、出力トランス５４より出力される出力電圧を検出する。Ａ／Ｄコンバータ５７は、電流センサ５５及び電圧センサ５６の信号をデジタル信号に変換する。制御回路５０は、Ａ／Ｄコンバータ５７からのデジタル化されたデータと、フットスイッチ４０からの信号に基づいて電源回路５１及び波形回路５３を制御する。さらに、制御回路５０は、ピンチバルブ４１への電源を供給するピンチバルブ電源５８の制御も行う。
【００３１】
次に、図３〜図５を用いてレゼクトスコープ１のシース２の先端部６ａから突出及び先端部６ａ内に収納される電極器５について説明する。  
図３に示すように、レゼクトスコープ１の先端部６ａからは電極器５の機能部となる先端電極部２７が露出している。先端電極部２７は、側方から見たときに、略Ｌ字状に曲げられ、組織に当接し易いようになっている。前述したように、電極器５は、指掛け部２４、２５（図１参照）が操作されることにより、先端電極部２７を有する先端部分がレゼクトスコープ１の先端部６ａから前方へ突出されたり、先端部６ａ内に略収納されたりされるように、スライド操作自在となっている。
【００３２】
図４に示すように、電極器５は、前方側が２つに分岐されており、それら両分岐端を夫々繋ぐように印加電極となる略ループ形状（閉ループ）に形成された金属線である先端電極部２７が配設されている。また、電極器５の分岐端の先端部分には、第１の（電気）絶縁部材からなるスリーブ３８が配設されている。
【００３３】
この先端電極部２７には、電極器５の分岐部分から基端側の中途部分であって、光学視管４の挿入部２８が挿通するガイド筒５ａが図４の紙面に向かって見た上方に固着されている。これにより、電極器５は、スライド操作されたとき、光学視管４の挿入部２８が挿入されたガイド筒５ａにより直進ガイドされる。
【００３４】
図４及び図５に示すように、スリーブ３８の先端から紙面に向かって見た下方側、つまり、鉛直方向側へと延びる２つの絶縁部材（本実施の形態における第２の絶縁部材）３７が先端電極部２７を所定の範囲において被覆している。詳しくは、先端電極部２７は、電極器５の分岐端に設けられる２つの先端部分から延出する各根元部分に絶縁部材３７が夫々、所定の範囲において被覆されている。すなわち、２つの絶縁部材３７は、生体組織の切除、蒸散、放電凝固等の際に使用頻度の少ないスリーブ３８の先端から露出する先端電極部２７の根元部分のみを所定の範囲において夫々被覆している。
【００３５】
この電極器５は、金属線の先端電極部２７が体腔の処置領域に接触する接触部となり、その他の金属線の部分が前記処置領域に接触しない非接触部となるように、スリーブ３８、及び絶縁部材３７が設けられている。また、電極器５は、スリーブ３８が被覆された部分が第１の部分となり、この第１の部分の軸方向と異なる方向に延出するため根元部分が湾曲部となる先端電極部２７が第２の部分となる。この先端電極部２７の根元部分の湾曲部に絶縁部材３７が被覆している。
【００３６】
次に、図６及び図７を用いて、以上のように構成された本実施形態のレゼクトスコープの動作について説明する。  
先ず、例えば、尿道、膣などからレゼクトスコープ１が患者の体腔内に挿入される。  
図６に示すように、フットスイッチ４０の切開ペダルが踏まれて、ＯＮされると（Ｓ１）、制御回路５０は、ピンチバルブ電源５８を制御してピンチバルブ４１に電源を供給し、送液チューブ１２による生理的食塩水の送液を一時的に停止する（Ｓ２）。そして、制御回路５０は、高周波発生回路５２を制御して高周波出力の供給を開始させる（Ｓ３）。
【００３７】
このとき、生理的食塩水の送液が停止しているため、先端電極部２７の近傍には、高周波電流で温められた生理的食塩水が留まり、気泡が発生し易くなる。更に、生理的食塩水の送液を一時的に停止することによって、発生した気泡が送液で飛び散ることもない。また、図７に示すように、先端電極部２７に供給される高周波電流は、印加側となる先端電極部２７が生体組織に接触する部分から帰還側となる挿入部６に流れる。これにより、先端電極部２７に接触している組織は、切除、蒸散、及び放電凝固などされる。
【００３８】
また、先端電極部２７の根元部分は、絶縁部材３７により被覆されているため、先端電極部２７が生理的食塩水に接触する表面積が従来の電極９１２（図１５参照）に比べて小さいため、より効率的に生理的食塩水の温度上昇が行われる。そのため、露出している先端電極部２７の周囲には、気泡が発生しやすくなる。
【００３９】
この後、制御回路５０は、ステップＳ４において、電流センサ５５の電流値及び、続いてステップＳ５において電圧センサ５６の電圧値をＡ／Ｄコンバータ５７を介して取り込む。  
この後、制御回路５０は、回路内において、取り込んだ電圧値を電流値で割ることにより、先端電極部２７と外套管である挿入部６の間の抵抗値Ｚを計算する。
【００４０】
次に、制御回路５０は、算出した抵抗値Ｚが、例えば５００Ω未満であるか否かの判断を行う（Ｓ７）。制御回路５０は、算出した抵抗値Ｚが、５００Ω未満の場合、ステップＳ４に戻り同様の処理を繰り返す。
【００４１】
その一方において、算出された抵抗値Ｚが５００Ωよりも大きければ、先端電極部２７の全周が気泡に包まれ、既に放電が発生しているため、生理的食塩水の送液を停止する必要がなくなる。そして、制御回路５０は、ピンチバルブ４１への電源をＯＦＦ（Ｓ８）し、先端電極部２７の近傍へ生理的食塩水の送液が再開される。
【００４２】
次に、制御回路５０は、フットスイッチ４０の切開ペダルが離されると（Ｓ９）、高周波発生回路５２を制御して高周波出力を停止させる（Ｓ１０）。  
つまり、以上の説明からフットスイッチ４０の切開ペダルがＯＮされると、先端電極部２７から気泡が発生する。しかし、フットスイッチ４０の切開ペダルがＯＮされた直後は、生理的食塩水の温度上昇のための時間的な理由により、先端電極部２７に気泡があまり発生されない。このとき、組織抵抗の抵抗値Ｚが５００Ωよりも低い状態となり、制御回路５０は、ピンチバルブ４１への電源をＯＮし、送液チューブ１２による先端電極部２７の近傍への生理的食塩水の送液を停止する。
【００４３】
フットスイッチ４０の切開ペダルがＯＮされてからある程度の時間経過すると、先端電極部２７に付着する気泡が多くなり、抵抗値Ｚが上昇する。その抵抗値Ｚが５００Ωになると、先端電極部２７の全周が気泡に包まれ、放電が発生した状態になり、ピンチバルブ４１への電源供給がＯＦＦ状態となり、送液チューブ１２による先端電極部２７の近傍への生理的食塩水の送液が再開する。
【００４４】
図１４〜図１６に示す従来のレゼクトスコープ装置９０１が備える電極９１２に比べて、本実施形態の先端電極部２７は、生理的食塩水に接触する表面積が被覆される絶縁部材３７により小さい面積にされているため、生理的食塩水の温度上昇にかかる時間を短縮することができる。すなわち、本実施形態のレゼクトスコープ１は、フットスイッチ４０の切開ペダルがＯＮされてから先端電極部２７の全周を覆う気泡が発生するまでの時間を短縮できる構成となっている。
【００４５】
以上のように構成された本実施形態のレゼクトスコープ１は、高周波電源装置２１が出力を開始してから先端電極部２７と挿入部６による放電の発生に必要な先端電極部２７の全周が気泡に覆われるための時間を短縮することができる。つまり、先端電極部２７が絶縁部材３７により生理的食塩水に接触する面積が小さくされるため、先端電極部２７近傍の生理的食塩水の液温上昇にかかる時間を短縮することができる。
【００４６】
そのため、本実施形態のレゼクトスコープ１は、高周波電源装置２１からの高周波電流の出力時間の短縮により省電効果を得ることができると共に、先端電極部２７の全周を覆う気泡が発生しやすくなる。
【００４７】
更に、先端電極部２７近傍の気泡が送液により飛び散ることがないので、小さい電力により先端電極部２７全体を気泡で覆い放電させ、生体組織の切除、蒸散、放電凝固などを行うことが可能になる。  
以上の結果、小電力の高周波電源装置２１を用いることができ、高周波処置装置であるレゼクトスコープ１の製造コストの低減と省電力化が可能になる。
【００４８】
なお、先端電極部２７は、従来の電極９１２（図１５参照）と比較して生理的食塩水との接触面積を小さくするために、切除、蒸散、放電凝固などを行う際に、使用頻度の少ないスリーブ３８の先端から露出する先端電極部２７の根元部分に被覆されている絶縁部材３７に代えて、図８〜図１３に示すような構成にしても良い。
【００４９】
図８に示す、先端電極部２７は、スリーブ３８の先端から露出する根元部分（湾曲部）の外表面を所定の範囲において非導電性膜である第２の絶縁部材となる絶縁コーティング２７ａがされている。これにより、先端電極部２７は、生理的食塩水との接触面積を小さくされている。
【００５０】
図９に示す、先端電極部２７は、根元部分（湾曲部）の外表面を所定の範囲において、スリーブ３８の第２の絶縁部材となる先端部分が延出方向に沿って延出するように被覆されている。これにより、先端電極部２７は、生理的食塩水との接触面積を小さくされている。図９では、スリーブ３８の先端部分が下方、つまり、鉛直方向に折り曲げられるように、側方から見たときに略Ｌ字形状となっている。
【００５１】
図１０に示す、先端電極部２７には、スリーブ３８の先端から露出する根元部分（湾曲部）の外表面を所望の被覆範囲を変更自在な絶縁部材からなる蛇腹形状の蛇管３８ａ（本実施の形態での第２の絶縁部材）が設けられている。これにより、医師などの使用者は、先端電極部２７の生理的食塩水との接触面積を所望の範囲において小さくすることができる。
【００５２】
以上に説明した、図８〜図１０の先端電極部２７の構成によれば、生理的食塩水の温度上昇に必要な時間を抑えることができ、先端電極部２７の周囲に気泡が発生しやすくなる。また、先端電極部２７の外表面が露出する面積が小さいため、少ない気泡により先端電極部２７から挿入部６への放電を発生させることができる。  
さらに、図１０の先端電極部２７の構成によれば、医師などの使用者は、治療する患部の状況に合わせて、先端電極部２７を露出させる範囲を適宜選択できる。
【００５３】
図１１に示す、先端電極部２７は、最も使用頻度の多いループ形状の中央部２７ｃの外径がスリーブ３８の先端から露出する根元部分の外径よりも小さい径に成形されている。この中央部２７ｃの外径が細くなっていることから、中央部２７ｃと生理的食塩水の接触面積が少なくなる。そのため、中央部２７ｃ周囲を覆う気泡が少量で充分になる。
【００５４】
図１２に示す、先端電極部２７は、図１１に示した先端電極部２７と同じ原理を利用して、前方側に向かった面に複数の切り欠き部２７ｂを有している。切り欠き２７ｂと生理的食塩水の接触面積が少なくなる。そのため、切り欠き２７ｂの周囲を覆う気泡が少量で充分になる。
【００５５】
なお、図１３に示すように、先端電極部２７は、ループ（閉ループ）を描く板形状であり、前方側に複数の切り欠き部２７Ｂを有しても同じ効果を得られる。尚、この板形状の先端電極部２７の根元部分には、第２の絶縁部材となる上述の絶縁コーティング２７ａが施されている。
【００５６】
以上述べた、本実施形態のレゼクトスコープ１の先端電極部２７は、少ない気泡の発生量でも組織に接触する際、有効的に挿入部６との間において放電が発生するため、高周波電源装置２１の消費電力を軽減できると共に、使用する高周波電力の小電力化を実現できる。そのため、大電力を出力可能である高価な高周波電源装置２１を用いる必要がなくなり、先端電極部２７が組織と接触する際に小電力の出力でも短時間に挿入部６への放電が行える安価な高周波電源装置２１を用いることができる。
【００５７】
また、本実施形態のレゼクトスコープ１によれば、放電に必要な時間を短くすることができるため、手技時間を抑えることができ、患者への負担も軽減することができる。  
なお、本発明は、以上述べた実施形態のみに限定されるものではなく、発明の要旨を逸脱しない範囲で種々変形実施可能である。
【図面の簡単な説明】
【００５８】
【図１】高周波処置装置の全体構成図である。
【図２】高周波電源を示すブロック図である。
【図３】レゼクトスコープの先端部分を示す断面図である。
【図４】電極器の構成図である。
【図５】電極器の先端部分を示す拡大図である。
【図６】高周波電源装置による制御の流れを示すフローチャート図である。
【図７】レゼクトスコープの先端部の作用を説明するための拡大図である。
【図８】電極器の先端部分に配設される先端電極部を説明するための図である。
【図９】電極器の先端部分に配設される先端電極部を説明するための図である。
【図１０】電極器の先端部分に配設される先端電極部を説明するための図である。
【図１１】電極器の先端部分に配設される先端電極部を説明するための図である。
【図１２】電極器の先端部分に配設される先端電極部を説明するための図である。
【図１３】電極器の先端部分に配設される先端電極部を説明するための図である。
【図１４】生理的食塩水の灌流液を使用する従来のレゼクトスコープを含んだ高周波処置装置の構成図である。
【図１５】従来の電極を示す図である。
【図１６】従来のレゼクトスコープの電極近傍の様子を示す説明図。
【符号の説明】
【００５９】
１・・・レゼクトスコープ
５・・・電極器
６・・・挿入部
７・・・本体部
８・・・送水口
９・・・コック
１０・・・容器
１１・・・生理的食塩水
１２・・・送液チューブ
２１・・・高周波電源装置
３７・・・絶縁部材
２７・・・先端電極部
３７・・・絶縁部材
４１・・・ピンチバルブ
【図１】
0004675329.tif 000002
【図２】
0004675329.tif 000003
【図３】
0004675329.tif 000004
【図４】
0004675329.tif 000005
【図５】
0004675329.tif 000006
【図６】
0004675329.tif 000007
【図７】
0004675329.tif 000008
【図８】
0004675329.tif 000009
【図９】
0004675329.tif 000010
【図１０】
0004675329.tif 000011
【図１１】
0004675329.tif 000012
【図１２】
0004675329.tif 000013
【図１３】
0004675329.tif 000014
【図１４】
0004675329.tif 000015
【図１５】
0004675329.tif 000016
【図１６】
0004675329.tif 000017